【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
計測対象物に照射した光の透過光又は反射光を撮像素子に結像させて得られる画像に基づいて、計測対象物の形状を計測する画像計測装置において、
前記撮像素子にて結像して得られた計測対象物を示す画像と、該計測対象物を示す画像上の計測対象部分の距離を計測する計測器を示す画像とを表示する表示手段と、
前記計測器を示す画像は、所定の方向に延伸した本体部を示す画像と、前記本体部の長手方向に画面上で移動可能であり、前記本体部と直交する方向に延伸する２つの計測部を示す画像とで構成され、
前記計測部を示す画像は、前記本体部の長手方向の一方側又は両側に、前記計測対象部分のエッジを検出する検出部を示す画像を含み、
画面上で、少なくとも一の前記計測部を示す画像を前記本体部を示す画像の長手方向に移動させる指示を受け付ける移動指示受付手段と、
前記検出部を示す画像に対応する画像データの画面上の座標値と、前記計測対象部分のエッジを示す画像に対応する画像データの画面上の座標値とが一致するか否かを判断する位置判断手段と、
該位置判断手段にて一致すると判断した場合、前記計測対象物の計測位置である旨の指示を受け付ける位置受付手段と、
指示を受け付けた計測位置での画面上の座標値に基づいて前記計測対象部分の実測値を算出する実測値算出手段と
を備えることを特徴とする画像計測装置。
【請求項２】
計測対象物に照射した光の透過光又は反射光を撮像素子に結像させて得られる画像に基づいて、計測対象物の形状を計測する画像計測装置において、
前記撮像素子にて結像して得られた計測対象物を示す画像と、該計測対象物を示す画像上の計測対象部分の距離を計測する計測器を示す画像とを表示する表示手段と、
前記計測器を示す画像は、所定の方向に延伸した本体部を示す画像と、前記本体部の長手方向に画面上で移動可能であり、前記本体部と直交する方向に延伸する２つの計測部を示す画像とで構成され、
前記計測部を示す画像は、前記本体部の長手方向の一方側に、前記計測対象部分のエッジを検出する検出部を示す画像を含み、
画面上で、少なくとも一の前記計測部を示す画像を、前記本体部を示す画像の長手方向であって前記検出部を示す画像が前記計測対象部分のエッジを示す画像に対向して近づく方向に移動させる指示を受け付ける移動指示受付手段と、
受け付けた指示に応じて前記計測対象部分のエッジを示す画像に対応する画像データの画面上の座標値を前記計測対象物の計測位置の座標値として取得する位置取得手段と、
取得した計測位置の座標値に基づいて前記計測対象部分の実測値を算出する実測値算出手段と
を備えることを特徴とする画像計測装置。
【請求項３】
前記移動指示受付手段は、
一の前記計測部を示す画像を、前記本体部を示す画像の長手方向であって前記検出部を示す画像が前記計測対象部分のエッジを示す画像に対向して近づく方向に所定の距離移動させる指示を受け付けるようにしてあり、
受け付けた指示に応じて前記検出部を示す画像が前記所定の距離移動する始点と終点との間に、前記計測対象部分のエッジを示す画像が存在するか否かを判断する計測対象存否判断手段を備え、
前記位置取得手段は、
前記計測対象存否判断手段にて前記計測対象部分のエッジを示す画像が存在しないと判断した場合、前記終点を新たな始点とし、
前記計測対象存否判断手段にて前記計測対象部分のエッジを示す画像が存在すると判断した場合、前記計測対象部分のエッジを示す画像に対応する画像データの画面上の座標値を前記計測対象物の計測位置の座標値として取得するようにしてあることを特徴とする請求項２記載の画像計測装置。
【請求項４】
前記計測部を示す画像のうち、前記本体部の長手方向のいずれか一方側を前記検出部を示す画像として設定する指示を受け付ける設定指示受付手段を備えることを特徴とする請求項１乃至３のいずれか一項に記載の画像計測装置。
【請求項５】
前記計測部を示す画像の延伸方向の長さを変更する指示又は延伸方向の位置を変更する指示を受け付ける伸縮指示受付手段を備えることを特徴とする請求項１乃至４のいずれか一項に記載の画像計測装置。
【請求項６】
計測対象物に照射した光の透過光又は反射光を撮像素子に結像させて得られる画像に基づいて、計測対象物の形状を計測する画像計測装置で実行することが可能なコンピュータプログラムにおいて、
前記画像計測装置を、
前記撮像素子にて結像して得られた計測対象物を示す画像と、
該計測対象物を示す画像上の計測対象部分の距離を計測する計測器を示す画像であって、所定の方向に延伸した本体部を示す画像と、前記本体部の長手方向に画面上で移動可能であり、前記本体部と直交する方向に延伸する２つの計測部を示す画像とで構成され、前記計測部を示す画像が、前記本体部の長手方向の一方側又は両側に、前記計測対象部分のエッジを検出する検出部を示す画像を含む計測器を示す画像と
を表示する表示手段、
画面上で、少なくとも一の前記計測部を示す画像を前記本体部を示す画像の長手方向に移動させる指示を受け付ける移動指示受付手段、
前記検出部を示す画像に対応する画像データの画面上の座標値と、前記計測対象部分のエッジを示す画像に対応する画像データの画面上の座標値とが一致するか否かを判断する位置判断手段、
該位置判断手段にて一致すると判断した場合、前記計測対象物の計測位置である旨の指示を受け付ける位置受付手段、及び
指示を受け付けた計測位置での画面上の座標値に基づいて前記計測対象部分の実測値を算出する実測値算出手段
として機能させることを特徴とするコンピュータプログラム。
【請求項７】
計測対象物に照射した光の透過光又は反射光を撮像素子に結像させて得られる画像に基づいて、計測対象物の形状を計測する画像計測装置で実行することが可能なコンピュータプログラムにおいて、
前記画像計測装置を、
前記撮像素子にて結像して得られた計測対象物を示す画像と、
該計測対象物を示す画像上の計測対象部分の距離を計測する計測器を示す画像であって、所定の方向に延伸した本体部を示す画像と、前記本体部の長手方向に画面上で移動可能であり、前記本体部と直交する方向に延伸する２つの計測部を示す画像とで構成され、前記計測部を示す画像が、前記本体部の長手方向の一方側又は両側に、前記計測対象部分のエッジを検出する検出部を示す画像を含む計測器を示す画像と
を表示する表示手段、
画面上で、少なくとも一の前記計測部を示す画像を、前記本体部を示す画像の長手方向であって前記検出部を示す画像が前記計測対象部分のエッジを示す画像に対向して近づく方向に移動させる指示を受け付ける移動指示受付手段、
受け付けた指示に応じて前記計測対象部分のエッジを示す画像に対応する画像データの画面上の座標値を前記計測対象物の計測位置の座標値として取得する位置取得手段、及び
取得した計測位置の座標値に基づいて前記計測対象部分の実測値を算出する実測値算出手段
として機能させることを特徴とするコンピュータプログラム。
【請求項８】
前記移動指示受付手段を、
一の前記計測部を示す画像を、前記本体部を示す画像の長手方向であって前記検出部を示す画像が前記計測対象部分のエッジを示す画像に対向して近づく方向に所定の距離移動させる指示を受け付ける手段として機能させ、
前記画像計測装置を、
受け付けた指示に応じて前記検出部を示す画像が前記所定の距離移動する始点と終点との間に、前記計測対象部分のエッジを示す画像が存在するか否かを判断する計測対象存否判断手段として機能させ、
前記位置取得手段を、
前記計測対象存否判断手段にて前記計測対象部分のエッジを示す画像が存在しないと判断した場合、前記終点を新たな始点とし、
前記計測対象存否判断手段にて前記計測対象部分のエッジを示す画像が存在すると判断した場合、前記計測対象部分のエッジを示す画像に対応する画像データの画面上の座標値を前記計測対象物の計測位置の座標値として取得する手段として機能させることを特徴とする請求項８記載のコンピュータプログラム。
【請求項９】
前記画像計測装置を、
前記計測部を示す画像のうち、前記本体部の長手方向のいずれか一方側を前記検出部を示す画像として設定する指示を受け付ける設定指示受付手段
として機能させることを特徴とする請求項６乃至８のいずれか一項に記載のコンピュータプログラム。
【請求項１０】
前記画像計測装置を、
前記計測部を示す画像の延伸方向の長さを変更する指示又は延伸方向の位置を変更する指示を受け付ける伸縮指示受付手段として機能させることを特徴とする請求項６乃至９のいずれか一項に記載のコンピュータプログラム。